(57)【要約】【課題】複数マイク付きの携帯電話機による動画撮影時に効果的に、撮影者、撮影対象者、および撮影物の音声を集音することにある。【解決手段】携帯電話機は、筐体のリア面側方向を動画撮影するデジタルカメラ５０と、筐体のリア面側に実装されたマイクＡ１と、筐体のフロント面側に実装されたマイクＢ３とを備え、動画撮影動作時に、マイクＡ１とマイクＢ３との音声レベルの高低を比較するレベル比較部２１と、レベル比較部２１での結果音声レベルの高い方のマイクに切替えて音声を取り込むＳＷ制御部２２とを有している。【選択図】      図１
2004201015.tif 000002
【特許請求の範囲】
【請求項１】
少なくとも２個以上の集音用のマイクを有する複数マイク付き携帯電話機であって、
筐体のリア面側方向を動画撮影する前記デジタルカメラと、
前記筐体のリア面側に実装された第１のマイクと、
前記筐体のフロント面側に実装された第２のマイクと、を備え、
動画撮影動作時に、前記第１のマイクと前記第２のマイクとの音声レベルの高低を比較する比較手段と、
前記比較手段の結果音声レベルの高い方のマイクに切替えて集音する第１の切替え手段を有することを特徴とする複数マイク付き携帯電話機。
【請求項２】
少なくとも２個以上の集音用のマイクを有する複数マイク付き携帯電話機であって、
筐体のリア面側方向を動画撮影する前記デジタルカメラと、
前記筐体のリア面側に実装された第１のマイクと、
前記筐体のフロント面側に実装された第２のマイクと、
自動または手動のいずれかを選択する第１の選択キーと、を備え、
動画撮影動作時に、前記第１の選択キーが自動に選定されていると、前記第１のマイクと前記第２のマイクとの音声レベルの高低を比較する比較手段と、
前記比較手段の結果音声レベルの高い方のマイクに切替えて集音する第１の切替え手段を有することを特徴とする複数マイク付き携帯電話機。
【請求項３】
動画撮影動作時に、予め決められた時間の間マイクの切替えが１度も発生しなかった場合に前記比較手段で切替えたマイクと違うもう一方のマイクからの集音を停止する第１の停止手段を有することを特徴とする請求項１または２記載の複数マイク付き携帯電話機。
【請求項４】
動画撮影動作時に、予め決められた時間の間マイクの切替えが１度も発生しなかった場合に前記比較手段で切替えたマイクと違うもう一方のマイクから集音する回路の電源供給を停止する第２の停止手段を有することを特徴とする請求項１，２，または３記載の複数マイク付き携帯電話機。
【請求項５】
動画撮影動作時に、予め決められた時間の間マイクの切替えが１度でも発生した場合に撮影が終了するまで前記比較手段および前記第１の切替え手段の動作を繰り返す繰返し手段を有することを特徴とする請求項１，２，３，または４記載の複数マイク付き携帯電話機。
【請求項６】
前記第１の選択キーが手動の場合に有効となる前記第１または第２のいずれかを選択する第２の選択キーを備え、
動画撮影動作時に前記第１の選択キーが手動に選定され前記第２の選択キーが第１のマイクに選定されていると前記第１のマイクに切り替えて集音する第２の切替え手段を有することを特徴とする請求項２記載の複数マイク付き携帯電話機。
【請求項７】
前記第１の選択キーが手動の場合に有効となる前記第１または第２のいずれかを選択する第２の選択キーを備え、
動画撮影動作時に前記第１の選択キーが手動に選定され前記第２の選択キーが第２のマイクに選定されていると前記第２のマイクに切替えて集音する第２の切替え手段を有することを特徴とする請求項２記載の複数マイク付き携帯電話機。
【請求項８】
少なくとも２個以上の集音用のマイクを有しハンズフリー通話が可能な複数マイク付き携帯電話機であって、
前記筐体のリア面側に実装された第１のマイクと、
前記筐体のフロント面側に実装された第２のマイクと、を備え、
ハンズフリー通話時に、前記第１のマイクと前記第２のマイクとの音声レベルの高低を比較する比較手段と、
前記比較手段の結果音声レベルの高い方のマイクに切替えて集音する音声を取り込む切替え手段を有することを特徴とする複数マイク付き携帯電話機。
【請求項９】
少なくとも２個以上の集音用のマイクを有しハンズフリー通話が可能な複数マイク付き携帯電話機であって、
筐体のリア面側に実装された第１のマイクと、
前記筐体のフロント面側に実装された第２のマイクと、
自動または手動のいずれかを選択する第１の選択キーと、を備え、
ハンズフリー通話時に、前記第１の選択キーが自動に選定されていると前記第１のマイクと前記第２のマイクとの音声レベルの高低を比較する比較手段と、
前記比較手段の結果音声レベルの高い方のマイクに切替えて集音する第１の切替え手段を有することを特徴とする複数マイク付き携帯電話機。
【請求項１０】
ハンズフリー通話時に、予め決められた時間の間マイクの切替えが１度も発生しなかった場合に前記比較手段で切替えたマイクと違うもう一方のマイクからの集音を停止する第１の停止手段を有することを特徴とする請求項８または９記載の複数マイク付き携帯電話機。
【請求項１１】
ハンズフリー通話時に、予め決められた時間の間マイクの切替えが１度も発生しなかった場合に前記比較手段で切替えたマイクと違うもう一方のマイクから集音する回路の電源供給を停止する第２の停止手段を有することを特徴とする請求項８，９，または１０記載の複数マイク付き携帯電話機。
【請求項１２】
ハンズフリー通話時に、予め決められた時間の間マイクの切替えが１度でも発生した場合に撮影が終了するまで前記比較手段および前記第１の切替え手段の動作を繰り返す繰返し手段を有することを特徴とする請求項８，９，１０，または１１記載の複数マイク付き携帯電話機。
【請求項１３】
前記第１の選択キーが手動の場合に有効となる前記第１または第２のいずれかを選択する第２の選択キーを備え、
ハンズフリー通話時に前記第１の選択キーが手動に選定され前記第２の選択キーが第１のマイクに選定されていると前記第１のマイクに切り替えて集音する第２の切替え手段を有することを特徴とする請求項９記載の複数マイク付き携帯電話機。
【請求項１４】
前記第１の選択キーが手動の場合に有効となる前記第１または第２のいずれかを選択する第２の選択キーを備え、
ハンズフリー通話時に前記第１の選択キーが手動に選定され前記第２の選択キーが第２のマイクに選定されていると前記第２のマイクに切替えて集音する第２の切替え手段を有することを特徴とする請求項９記載の複数マイク付き携帯電話機。
【請求項１５】
前記第２の切替え手段で切替えたマイクと違うもう一方のマイクから集音する回路の電源供給を停止する第３の停止手段を有することを特徴とする請求項６，７，１３または１４記載の複数マイク付き携帯電話機。
【請求項１６】
少なくとも２個以上の集音用のマイクを有する携帯電話機の音声取込み方法であって、
第１のマイクを携帯電話機の筐体のリア面側に実装し、
第２のマイクを前記筐体のフロント面側に実装し、
マイクの集音動作時に、前記第１のマイクと前記第２のマイクとの音声レベルの高低を比較し、
比較した結果音声レベルの高い方のマイクに切替えて集音することを特徴とする携帯電話機の音声取込み方法。
【請求項１７】
少なくとも２個以上の集音用のマイクを有する携帯電話機の音声取込み方法であって、
第１のマイクを携帯電話機の筐体のリア面側に実装し、
第２のマイクを前記筐体のフロント面側に実装し、
自動または手動のいずれかを選択する第１の選択キーを準備し、
マイクの集音動作時に、前記第１の選択キーが自動に選定されていると前記第１のマイクと前記第２のマイクとの音声レベルの高低を比較し、
比較した結果音声レベルの高い方のマイクに切替えて集音することを特徴とする携帯電話機電話機の音声取込み方法。
【請求項１８】
マイク集音動作時に、予め決められた時間の間、マイクの切替えが１度も発生しなかった場合に前記比較した結果切替えたマイクと違うもう一方のマイクからの集音を停止することを特徴とする請求項１６または１７記載の携帯電話機電話機の音声取込み方法。
【請求項１９】
マイク集音動作時に、予め決められた時間の間マイクの切替えが１度も発生しなかった場合に前記比較した結果切替えたマイクと違うもう一方のマイクから集音する回路の電源供給を停止することを特徴とする請求項１６，１７，または１８記載の携帯電話機電話機の音声取込み方法。
【請求項２０】
マイク集音動作時に、予め決められた時間の間マイクの切替えが１度でも発生した場合に集音が終了するまで前記第１のマイクと前記第２のマイクとの音声レベルの高低を比較し音声レベルの高い方のマイクに切替えて集音する動作を繰り返すことを特徴とする請求項１６，１７，１８，または１９記載の携帯電話機電話機の音声取込み方法。
【請求項２１】
前記第１の選択キーが手動の場合に有効となる前記第１または第２のいずれかを選択する第２の選択キーを準備し、
マイク集音動作時に、前記第１の選択キーが手動に選定され前記第２の選択キーが第１のマイクに選定されていると前記第１のマイクに切り替えて集音することを特徴とする請求項１７記載の複数マイク付き携帯電話機。
【請求項２２】
前記第１の選択キーが手動の場合に有効となる前記第１または第２のいずれかを選択する第２の選択キーを備え、
マイク集音動作時に、前記第１の選択キーが手動に選定され前記第２の選択キーが第２のマイクに選定されていると前記第２のマイクに切替えて集音することを特徴とする請求項１７記載の携帯電話機電話機の音声取込み方法。
【請求項２３】
前記第２の切替え手段で切替えたマイクと違うもう一方のマイクから集音する回路の電源供給を停止することを特徴とする請求項２１または２２記載の携帯電話機電話機の音声取込み方法。
【発明の詳細な説明】
【０００１】
【発明の属する技術分野】
本発明は、複数マイク付き携帯電話機および携帯電話機の音声取り込み方法に関し、特に、動画撮影またはハンズフリー通話時におけるマイクの選定を行う複数マイク付き携帯電話機および携帯電話機の音声取り込み方法に関する。
【０００２】
【従来の技術】
従来、複数のマイクを持った電話機としては、複数のマイクを持った自動車電話によるマイク選択方法が、例えば、実開昭６０−１８９１６３号公報で公開されている。実開昭６０−１８９１６３号公報では、音声入力用の複数のマイクと、各マイクに入力される音声レベルと車室内騒音のレベルとの比であるＳ／Ｎ比を検出するＳ／Ｎ比検出手段と、Ｓ／Ｎ比検出手段により検出されたマイク毎のＳ／Ｎ比の内最も大きなＳ／Ｎ比のマイクからの音声出力を選択するマイク選択手段と、害マイク選択手段により選択されたマイクからの音声出力を偏重して送出する創出手段とを有することを特徴とする自動車電話が記載されている。
【０００３】
また、従来、カメラ付きの携帯電話機としては、例えば、特開２００１−１６９１６６号公報に開示されているように、１個のマイクによるカメラ付き携帯電話機が実装されている。特開２００１−１６９１６６号公報では、撮影対象者を撮影する場合、マイクが側面になる。
【０００４】
【特許文献１】
実開昭６０−１８９１６３号公報（実用新案登録請求の範囲）
【特許文献２】
特開２００１−１６９１６６号公報（図１および図９）
【０００５】
【発明が解決しようとする課題】
しかしながら、従来、実開昭６０−１８９１６３号公報記載の自動車電話では、自動車電話では問題ないが、常に複数のマイクを同時動作しているため、携帯電話を想定した場合、マイクでの消費される電流が単一マイクに比べ増加し、バッテリ寿命に影響を与えるという問題点がある。
【０００６】
また、実開昭６０−１８９１６３号公報記載の自動車電話では、Ｓ／Ｎ比を比較してマイクを切替えているため、周囲騒音レベルが変動した場合、マイク位置によっては、Ｓレベルが高いレベルにあるにも関わらず、Ｎレベルが大きいため、マイクが切り替わってしまい、Ｓレベルの低い側マイクから取り込まれる可能性があり、送話信号レベルがばらついてしまうという問題点がある。
【０００７】
また、実開昭６０−１８９１６３号公報記載の自動車電話では、複数の人が会話している場所でメインの人を録音したいという場合、入れたくもない周囲の音声が入ってしまい、メインの人の音声が中途半端に録音されてしまうという問題点が発生する。
【０００８】
また、従来の特開２００１−１６９１６６号公報では、どうしても動画撮影する場合、マイクが側面になってしまう。ところが、撮影対象者、撮影対象物、および撮影者の音声が出る場合が多く、特開２００１−１６９１６６号公報のように正面に向いていない音声を効果的に集音することは、必ずしも適切ではないという問題点がある。
【０００９】
本発明の目的は、上記問題点を鑑み、複数マイク付きの携帯電話機による動画撮影時に効果的に、撮影者、撮影対象者、および撮影物の音声を集音することにある。
【００１０】
本発明の他の目的は、上記問題点を鑑み、複数マイク付きの携帯電話機のマイク起動中の消費電流を低減することにある。
【００１１】
また、本発明の他の目的は、上記問題点を鑑み、周囲の騒音レベルが変動しても、Ｓレベルの低い側のマイクからの取り込みを防ぎ、送話信号のレベルがばらつかないことにある。
【００１２】
また、本発明の別の目的は、上記問題点を鑑み、複数の人が会話している場所でメインの人を録音したいという場合、メインの人の録音ができることにある。
【００１３】
【課題を解決するための手段】
上記目的を達成するために、本発明の第１の複数マイク付き携帯電話機は、少なくとも２個以上の集音用のマイクを有する複数マイク付き携帯電話機であって、筐体のリア面側方向を動画撮影する前記デジタルカメラと、前記筐体のリア面側に実装された第１のマイクと、前記筐体のフロント面側に実装された第２のマイクと、を備え、動画撮影動作時に、前記第１のマイクと前記第２のマイクとの音声レベルの高低を比較する比較手段と、前記比較手段の結果音声レベルの高い方のマイクに切替えて集音する第１の切替え手段を有することを特徴としている。
【００１４】
また、本発明の第２の複数マイク付き携帯電話機は、少なくとも２個以上の集音用のマイクを有する複数マイク付き携帯電話機であって、筐体のリア面側方向を動画撮影する前記デジタルカメラと、前記筐体のリア面側に実装された第１のマイクと、前記筐体のフロント面側に実装された第２のマイクと、自動または手動のいずれかを選択する第１の選択キーと、を備え、動画撮影動作時に、前記第１の選択キーが自動に選定されていると、前記第１のマイクと前記第２のマイクとの音声レベルの高低を比較する比較手段と、前記比較手段の結果音声レベルの高い方のマイクに切替えて集音する第１の切替え手段を有することを特徴としている。
【００１５】
更に、上記の第１または第２の複数マイク付き携帯電話機において、動画撮影動作時に、予め決められた時間の間マイクの切替えが１度も発生しなかった場合に前記比較手段で切替えたマイクと違うもう一方のマイクからの集音を停止する第１の停止手段を有することを特徴としている。
【００１６】
更に、上記の第１または第２の複数マイク付き携帯電話機において、動画撮影動作時に、予め決められた時間の間マイクの切替えが１度も発生しなかった場合に前記比較手段で切替えたマイクと違うもう一方のマイクから集音する回路の電源供給を停止する第２の停止手段を有することを特徴としている。
【００１７】
更に、上記の第１または第２の複数マイク付き携帯電話機において、動画撮影動作時に、予め決められた時間の間マイクの切替えが１度でも発生した場合に撮影が終了するまで前記比較手段および前記第１の切替え手段の動作を繰り返す繰返し手段を有することを特徴としている。
【００１８】
更に、上記の第２の複数マイク付き携帯電話機において、前記第１の選択キーが手動の場合に有効となる前記第１または第２のいずれかを選択する第２の選択キーを備え、動画撮影動作時に前記第１の選択キーが手動に選定され前記第２の選択キーが第１のマイクに選定されていると前記第１のマイクに切り替えて集音する第２の切替え手段を有することを特徴としている。
【００１９】
更に、上記の第２の複数マイク付き携帯電話機において、前記第１の選択キーが手動の場合に有効となる前記第１または第２のいずれかを選択する第２の選択キーを備え、動画撮影動作時に前記第１の選択キーが手動に選定され前記第２の選択キーが第２のマイクに選定されていると前記第２のマイクに切替えて集音する第２の切替え手段を有することを特徴としている。
【００２０】
また、本発明の第３の複数マイク付き携帯電話機は、少なくとも２個以上の集音用のマイクを有しハンズフリー通話が可能な複数マイク付き携帯電話機であって、前記筐体のリア面側に実装された第１のマイクと、前記筐体のフロント面側に実装された第２のマイクと、を備え、ハンズフリー通話時に、前記第１のマイクと前記第２のマイクとの音声レベルの高低を比較する比較手段と、前記比較手段の結果音声レベルの高い方のマイクに切替えて集音する音声を取り込む切替え手段を有することを特徴としている。
【００２１】
また、本発明の第４の複数マイク付き携帯電話機は、少なくとも２個以上の集音用のマイクを有しハンズフリー通話が可能な複数マイク付き携帯電話機であって、筐体のリア面側に実装された第１のマイクと、前記筐体のフロント面側に実装された第２のマイクと、自動または手動のいずれかを選択する第１の選択キーと、を備え、ハンズフリー通話時に、前記第１の選択キーが自動に選定されていると前記第１のマイクと前記第２のマイクとの音声レベルの高低を比較する比較手段と、前記比較手段の結果音声レベルの高い方のマイクに切替えて集音する第１の切替え手段を有することを特徴としている。
【００２２】
更に、上記の第３または第４の複数マイク付き携帯電話機において、ハンズフリー通話時に、予め決められた時間の間マイクの切替えが１度も発生しなかった場合に前記比較手段で切替えたマイクと違うもう一方のマイクからの集音を停止する第１の停止手段を有することを特徴としている。
【００２３】
更に、上記の第３または第４の複数マイク付き携帯電話機において、ハンズフリー通話時に、予め決められた時間の間マイクの切替えが１度も発生しなかった場合に前記比較手段で切替えたマイクと違うもう一方のマイクから集音する回路の電源供給を停止する第２の停止手段を有することを特徴としている。
【００２４】
更に、上記の第３または第４の複数マイク付き携帯電話機において、ハンズフリー通話時に、予め決められた時間の間マイクの切替えが１度でも発生した場合に集音が終了するまで前記比較手段および前記第１の切替え手段の動作を繰り返す繰返し手段を有することを特徴としている。
【００２５】
更に、上記の第４の複数マイク付き携帯電話機において、前記第１の選択キーが手動の場合に有効となる前記第１または第２のいずれかを選択する第２の選択キーを備え、ハンズフリー通話時に前記第１の選択キーが手動に選定され前記第２の選択キーが第１のマイクに選定されていると前記第１のマイクに切り替えて集音する第２の切替え手段を有することを特徴としている。
【００２６】
更に、上記の第４の複数マイク付き携帯電話機において、前記第１の選択キーが手動の場合に有効となる前記第１または第２のいずれかを選択する第２の選択キーを備え、ハンズフリー通話時に前記第１の選択キーが手動に選定され前記第２の選択キーが第２のマイクに選定されていると前記第２のマイクに切替えて集音する第２の切替え手段を有することを特徴としている。
【００２７】
更に、上記の第１、第２、第３、または第４の複数マイク付き携帯電話機において、前記第２の切替え手段で切替えたマイクと違うもう一方のマイクから集音する回路の電源供給を停止する第３の停止手段を有することを特徴としている。
【００２８】
また、本発明の第１の携帯電話機の音声取込み方法は、少なくとも２個以上の集音用のマイクを有する携帯電話機の音声取込み方法であって、第１のマイクを携帯電話機の筐体のリア面側に実装し、第２のマイクを前記筐体のフロント面側に実装し、マイクの集音動作時に、前記第１のマイクと前記第２のマイクとの音声レベルの高低を比較し、比較した結果音声レベルの高い方のマイクに切替えて集音することを特徴としている。
【００２９】
また、本発明の第２の携帯電話機の音声取込み方法は、少なくとも２個以上の集音用のマイクを有する携帯電話機の音声取込み方法であって、第１のマイクを携帯電話機の筐体のリア面側に実装し、第２のマイクを前記筐体のフロント面側に実装し、自動または手動のいずれかを選択する第１の選択キーを準備し、マイクの集音動作時に、前記第１の選択キーが自動に選定されていると前記第１のマイクと前記第２のマイクとの音声レベルの高低を比較し、比較した結果音声レベルの高い方のマイクに切替えて集音することを特徴としている。
【００３０】
更に、上記の第１または第２の携帯電話機の音声取込み方法において、マイク集音動作時に、予め決められた時間の間、マイクの切替えが１度も発生しなかった場合に前記比較した結果切替えたマイクと違うもう一方のマイクからの集音を停止することを特徴としている。
【００３１】
更に、上記の第１または第２の携帯電話機の音声取込み方法において、マイク集音動作時に、予め決められた時間の間マイクの切替えが１度も発生しなかった場合に前記比較した結果切替えたマイクと違うもう一方のマイクから集音する回路の電源供給を停止することを特徴としている。
【００３２】
更に、上記の第１または第２の携帯電話機の音声取込み方法において、マイク集音動作時に、予め決められた時間の間マイクの切替えが１度でも発生した場合に撮影が終了するまで前記第１のマイクと前記第２のマイクとの音声レベルの高低を比較し音声レベルの高い方のマイクに切替えて集音する動作を繰り返すことを特徴としている。
【００３３】
更に、上記の第２の携帯電話機の音声取込み方法において、前記第１の選択キーが手動の場合に有効となる前記第１または第２のいずれかを選択する第２の選択キーを準備し、マイク集音動作時に、前記第１の選択キーが手動に選定され前記第２の選択キーが第１のマイクに選定されていると前記第１のマイクに切り替えて集音することを特徴としている。
【００３４】
更に、上記の第２の携帯電話機の音声取込み方法において、前記第１の選択キーが手動の場合に有効となる前記第１または第２のいずれかを選択する第２の選択キーを備え、マイク集音動作時に、前記第１の選択キーが手動に選定され前記第２の選択キーが第２のマイクに選定されていると前記第２のマイクに切替えて集音することを特徴としている。
【００３５】
更に、上記の第１または第２の携帯電話機の音声取込み方法において、前記第２の切替え手段で切替えたマイクと違うもう一方のマイクから集音する回路の電源供給を停止することを特徴としている。
【００３６】
【発明の実施の形態】
次に、本発明の第１の実施の形態について、図面を参照して説明する。
本発明の第１の実施の形態における複数マイク付き携帯電話機の構成図を図１に、その部品構成図を図２に示す。
【００３７】
図１を参照すると、複数マイク付き携帯電話機は、マイクＡ１と、マイクアンプＡ２と、マイクＢ３と、マイクアンプＢ４と、マイクアンプ制御部５と、音声制御部１０と、マイク切替え制御部２０と、動画撮影制御部３０と、フロント液晶モニター部４０と、デジタルカメラ５０とから構成される。
【００３８】
図２を参照すると、複数マイク付き携帯電話機の部品構成は、マイクＡ１と、マイクＢ３と、フロント液晶モニター４０と、デジタルカメラ５０と、スピーカ８０と、アンテナ７１とから構成されている。
【００３９】
本携帯電話機には、図２に示すように音声を集音するためのマイクを２個有している。すなわち、マイクＡ１は、携帯電話機のデジタルカメラ５０の撮影方向と同一面（リア面）に実装されており、また、マイクＢ３は、携帯電話機のフロント液晶モニター４０と同一面（フロント面）に実装されており、主として、通常の通話時に使用する。
【００４０】
図１のマイクアンプＡ２はマイクＡ１から、マイクアンプＢ４はマイクＢ３から、それぞれ取り込まれた音声信号の増幅を行っている。マイクアンプＢ４は、マイクアンプ制御部５の制御により、ゲインの変更が可能な設定とする。マイクアンプＢ４は、フロント液晶モニター４０と同一面（フロント面）に実装されたマイクＢ３の音声を増幅するアンプである。マイクＢ３は、通常の電話としての音声通話を行う際に使用するマイクでもあるため、マイクアンプＢ４の初期設定は、前述の音声通話に適したゲイン設定になっている。動画撮影時は、音声通話時よりも音声取り込み距離が伸びるため、マイクアンプＡ２はマイクアンプＢ４の初期設定値よりもゲインを増加させており、マイクアンプＢ４は、マイクアンプＡ２のゲイン設定にも変更が可能な設定とする。マイクアンプＡ２およびマイクアンプＢ４の出力は、それぞれ音声制御部Ａ１１および音声制御部Ｂ１２に入力され、音声信号がデジタル変換される。
【００４１】
図１のマイク切替え制御部２０は、音声制御部１０からのレベルにより、使用するマイクを切替える制御を行い、レベル比較部２１およびＳＷ制御部２２から構成される。
【００４２】
図１のレベル比較部２１は、マイクＡ１、マイクＢ３で集音した音声レベルを元に音声制御部で処理されたデータの大小を比較し、ＳＷ制御部２２に情報を送出する。
【００４３】
図１のＳＷ制御部２２は、動画撮影時初期に、音声制御部Ａ１１と接続し、音声データを動画撮影制御部３０に送出する。その後、音声制御部Ａ１１と音声制御部Ｂ１２のデータを元にレベル比較部２１でレベルの比較を行い、レベルの大きい方を後段の動画撮影制御部３０に送出するようマイク切替えの切替え制御を行う。
【００４４】
図１の動画撮影制御部３０は、動画撮影時にマイクアンプ制御部５、音声制御部１０、フロント液晶モニター部４０、デジタルカメラ５０へ制御信号を送出する。
【００４５】
図１のマイクアンプ制御部５は、動画撮影制御部３０の信号により、マイクアンプＢ４のゲイン設定を変更し、マイクアンプＡ２のゲイン設定と同一にするよう制御する。
【００４６】
図１の音声制御部１０は、音声制御部Ａ１１と音声制御部１２とから構成され、動画撮影時にマイクＡ１、マイクＢ３から音声を取り込み、デジタル処理を実施後、マイク切替え制御部２０にデータを送出する。
【００４７】
図１のフロント液晶モニター部４０は撮影した映像を表示し、デジタルカメラ５０は撮影画像を取り込む。また、デジタルカメラ５０は、フロント液晶モニター部４０と逆面に実装され、フロント液晶モニター部４０と逆面側を撮影可能とする。
【００４８】
次に、図１〜図３を参照して、本発明の第１の実施の形態の動作について説明する。この場合の、携帯電話機での動画撮影時の動作を示すフローチャートを、図３に示す。
【００４９】
動画撮影の起動を図示していないキーの操作により行うと、携帯電話機リア面に実装されたデジタルカメラ５０にて撮影を開始する。撮影中の映像はフロント液晶モニター部４０で携帯者がモニター可能となると共に、マイクから音声取り込みを行うよう動画撮影制御部３０から音声制御部Ａ１１および音声制御部Ｂ１２に制御信号を送出する。双方のマイク（マイクＡ１、マイクＢ３）から音声取り込みを行うが、動画撮影開始時は、動画撮影の際、音声発生方向が一致する確率の高い、デジタルカメラ５０と同一面（リア面）に実装されたマイクＡ１でまず、音声の取り込み動作を行うような初期設定とする。音声制御部Ｂ１２では、動画撮影機能が開始したという情報を、動画撮影制御部３０から受け、フロント液晶モニター部４０と同一面（フロント面）に実装されたマイクＢ３からも音声の取り込み動作を開始させる（図３のステップＳ１０１，Ｓ１０２）。
【００５０】
同時に、動画撮影制御部３０は、マイクアンプ制御部５にも制御信号（開始したという情報）を送出する。マイクＢ３は、通常の電話としての音声通話を行う際に使用するマイクでもあるため、マイクアンプＢ４のゲイン設定の初期値が、動画撮影時にメインとして使用するマイクＡ１を増幅するマイクアンプＡ２で初期設定されているゲイン設定とは異なっている。（通常、動画撮影時は、音声通話時よりも、音声取り込み距離が伸びるため、マイクアンプＡ２はマイクアンプＢ４の初期設定値よりもゲインを増加させている。）
マイクアンプ制御部５で、動画撮影機能が開始したという情報を、動画撮影制御部３０から受けると、マイクアンプＢ４のゲイン設定を、現在動画撮影に使用中のマイクアンプＡ２のゲイン設定と同一になるようゲイン増加の設定変更を行う（ステップＳ１０３）。これにより、デジタルカメラ５０と同一面（リア面）に実装されたマイクＡ１とフロント液晶モニター部４０と同一面（フロント面）に実装されたマイクＢ３から集音された音声信号が、同一ゲイン設定のマイクアンプＡ２とマイクアンプＢ４でそれぞれ増幅される。音声制御部Ａ１１および音声制御部Ｂ１２では、信号のデジタル変換を行う。
【００５１】
レベル比較部２１では、マイクＡ１で集音された音声を処理した音声制御部Ａ１１と、マイクＢ３で集音された音声を処理した音声制御部Ｂ１２の出力レベルをモニターし、レベルの比較を行う（ステップＳ１０５）。
【００５２】
ここで、動画撮影の際、撮影者（携帯電話機保持者）が、風景や第三者を撮影している場合の動作を説明する。動画撮影開始とともに、マイクＡ１およびマイクＢ３から音声取り込み制御が行われるが、撮影開始時の音声取り込みは、初期設定としてまず、デジタルカメラ５０と同一面（リア面）に実装されたマイクＡ１のデータが動画撮影制御部３０に送出され、録音処理がされる。次に、動画撮影制御部３０の制御により、マイクＢ３の出力レベルを増幅するためのマイクアンプＢ４のゲイン設定を、現在動画撮影に使用中のマイクアンプＡ２のゲイン設定と同一になるようゲイン増幅の設定変更を行う。マイクＡ１で取り込んだ音声信号は音声制御部Ａ１１で、マイクＢ３で取り込んだ音声信号は音声制御部Ｂ１２で、それぞれデジタル変換され、レベル比較部２１で、双方の出力値の大小比較を行う（図３のステップＳ１０１〜Ｓ１０５）。
【００５３】
ここで、音声取り込み方向によるマイク出力の特性例を図４に示す。（本データは比較的取り込み距離が短い場合の特性であり、距離が長くなると双方の特性差は少なくなる傾向にある）
通常、風景や第三者の音声を双方のマイクで取り込んだ場合、撮影される側のマイクＡ１はカメラ撮影方向と同一方向にあるため、図４の特性グラフの通り、フロント液晶モニター部４０と同一面（フロント面）に実装されたマイクＢ３から取り込んだ音声レベルよりもデジタルカメラ５０と同一面（リア面）に実装されたマイクＡ１から取り込んだ音声レベルの方が大きくなる。すなわち、ＳＷ制御部２２では、ステップＳ１０５におけるレベル比較部２１からの比較情報により、デジタルカメラ５０と同一面（リア面）方向からの音声と判断し、マイクＡ１から音声を取り込むよう切替え制御する。更に、この切替え制御に基づき、動画撮影制御部３０では、マイクＡ１から随時取り込まれた音声データの録音処理（データ圧縮して、図示していないメモリに記憶する）を行う（ステップＳ１０５，Ｓ１０６、Ｓ１０７）。この場合の音声制御部１０およびマイク切替え制御部２０の動作は、動画撮影中行われ、常にマイクＡ１とマイクＢ３とから音声の取り込み、レベルを比較して、ＳＷ制御部２２でレベルの高い方のマイクに切替える動作を動画の撮影が終了するまで行う（ステップＳ１１１）。
【００５４】
次に、撮影者（携帯電話機保持者）が、風景や第三者を撮影しながら、撮影者（携帯保持者）自身が、音声を発した場合の動作を説明する。撮影開始時の各ブロックの動作は前術で述べた通りとなる（ステップＳ１０１〜Ｓ１０５）。
【００５５】
しかし、途中で、撮影者（携帯保持者）が音声を発すると、それまでは撮影対象の風景や第三者からの音声がメインとなるため、デジタルカメラ５０と同一面（リア面）に実装されたマイクＡ１から取り込んだ音声レベルの方がフロント液晶モニター部４０と同一面（フロント面）に実装されたマイクＢ３から取り込んだ音声レベルよりもレベルが大きく、ＳＷ制御部２２でマイクＡ１からの音声を録音する制御を行っていたが、撮影者（携帯電話機保持者）の音声が入力されたことで、デジタルカメラ５０と同一面（リア面）に実装されたマイクＡ１から取り込んだ音声レベルよりもフロント液晶モニター部４０と同一面（フロント面）に実装されたマイクＢ３から取り込んだ音声レベルの方が大きくなる。すなわち、ＳＷ制御部２２では、ステップＳ１０５におけるレベル比較部２１からの比較情報により、フロント液晶モニター部４０と同一面（フロント面）方向からの音声と判断し、マイクＢ３から音声を取り込むよう切替え制御する。更に、この切替え制御に基づき、動画撮影制御部３０では、マイクＢ３から随時取り込まれた音声データの録音処理を行う（ステップＳ１０８，Ｓ１０９，Ｓ１１０）。
【００５６】
以上説明したように、動画撮影中において、フロント面、リア面に実装した２個のマイクから取り込んだ音声レベルを比較して、常に音声レベルの大きい方のマイクから音声の取り込みを行うよう制御を行うことで、マイク面と逆方向からの音声に対する音声レベルの劣化を軽減させることができる。すなわち、複数マイク付きの携帯電話機による動画撮影時に効果的に、撮影者、撮影対象者、および撮影物の音声を集音することができる。更に、周囲の騒音レベルが変動しても、Ｓレベルの低い側のマイクからの取り込みを防ぎ、送話信号のレベルがばらつかなくなる。
【００５７】
次に、本発明の第２の実施の形態について、図面を参照して説明する。
【００５８】
図５を参照すると、第２の実施の形態における複数マイク付き携帯電話機の構成図を示す。第２の実施の形態では、マイク切替え制御部２０の構成が、図１に示す第１の実施の形態のマイク切替え制御部２０の構成と相違し、マイクＡ２およびマイクＢ３の電源の供給を制御する電源制御部９０を追加した点で相違する。すなわち、第１の実施の形態のマイク切替え制御部２０では、フロント面、リア面に実装されたマイクから取り込んだ音声レベルの比較した結果を元に、動画撮影開始から終了するまでの時間において、随時マイク切替え制御を行う点に比べ、第２の実施の形態のマイク切替え制御部２０では、動画撮影開始から、予め設定した時間Ｔ（ｓｃｅ）内のマイク切替え回数をカウントし、マイク切替えが行われなかった場合には、音声発生方向が不変な撮影状況下であるものとして、現在使用のマイクを撮影終了まで使用する制御を行い、使用しないもう一方のマイクからの音声取り込みを停止すると共に、音声の取り込みを停止するマイクから集音する回路（この場合はマイクアンプ）の電源の供給を停止するように電源制御部９０に要求する点で、第２の実施の形態は、第１の実施の形態と相違する。
【００５９】
図５のマイク切替え制御部２０は、第１の実施の形態例と同様に動画撮影を開始した場合にデジタルカメラ５０と同一面（リア面）に実装したマイクＡ１と、フロント液晶モニター部４０と同一面（フロント面）に実装したマイクＢ３とで取り込んだ音声信号のレベルを比較し、使用マイクを切替える制御を行う機能（手段）も有する。マイク切替え制御部２０は、マイクＡ１およびマイクＢ３で取り込み、マイクアンプＡ２およびマイクアンプＢ４で増幅された後に音声処理した音声データレベルの大小比較を行うレベル比較部２１と、レベル比較部２１の判定によりマイク切替え制御を行うＳＷ制御部２２と、動画撮影開始から設定された時間Ｔ（ｓｅｃ）間にＳＷ制御部２２で行ったマイク切替え回数をカウントするカウンタ部２３とから構成される。マイクロ切替え部２０は、取り込んだ音声データを動画撮影制御部３０に送出することで、動画撮影制御部３０で音声録音処理が行われる。また、動画撮影制御部３０には、動画撮影開始からＴ（ｓｅｃ）のタイムカウントが可能なタイマー機能（手段）を有している点で、第１の実施の形態の動画撮影制御部３０と相違する。この場合のタイマー機能とは、例えば、動画開始されると、動画撮影制御部３０内に保持しているタイマーに予め決められたＴ（この場合のＴは、正数値を示す。例えば、６０秒）が設定され、Ｔ秒後に割込みがかかり、動画撮影制御部３０に所定の動作を行わせる機能のことである。
【００６０】
図５の電源制御部９０は、ＳＷ制御部２２からの電源停止要求が来ると、マイクアンプＡ２またはマイクアンプＢ４のいずれかの電源の供給を停止する。なお、その他の構成については、第１の実施の形態と同じであるため、説明を省略する。
【００６１】
次に、図２、図５、および図６を参照して、本発明の第２の実施の形態の動作を図６のフローチャートを中心に説明する。
【００６２】
撮影者（携帯電話機保持者）がキー操作により動画撮影を開始すると、第１の実施の形態例の動作と同様に、デジタルカメラ５０と同一面（リア面）に実装されたマイクＡ１とＬＣＤ液晶モニター部４０と同一面（フロント面）に実装されたマイクＢ３から音声の取り込みが開始される。同時に、マイクアンプＢ４のゲイン設定をマイクアンプＡ２と同一とするようマイクアンプ制御部５で制御を行う（図６のステップ２０１〜Ｓ２０３）。
【００６３】
動画撮影制御部３０では、動画撮影制御部３０内に保持しているタイマーを起動させると共に、カウンタ部２３でＳＷ制御部２２のマイク切替え回数のカウントを開始する（ステップＳ２０４）。
【００６４】
マイクＡ１で取り込んだ音声信号は、音声制御部Ａ１１で、マイクＢ３で取り込んだ音声信号は音声制御部Ｂ１２で、それぞれデジタル変換され、レベル比較部２１で、双方の出力値の大小の比較を行う（ステップＳ２０５，Ｓ２０６）。
【００６５】
ステップＳ２０６において、マイクＡ１の方の出力が大きい場合には、レベル比較部２１は、その比較した情報（マイクＡ１の方の出力が大きいという情報）をＳＷ制御部２２に送ると、ＳＷ制御部２２は、デジタルカメラ５０と同一面（リア面）方向からの音声と判断し、マイクＡ１から音声を取り込むよう切替え制御する。更に、この切替え制御に基づき、動画制御部３０は、ＳＷ制御部２２から送られて来るマイクＡ１からの随時取り込まれた音声データの録音処理を行う（ステップＳ２０７，Ｓ２０８，Ｓ２１１）。
【００６６】
一方、ステップＳ２０６において、マイクＢ３の方の出力が大きい場合には、レベル比較部２１は、その比較した情報（マイクＢ３の方の出力が大きいという情報）をＳＷ制御部２２に送ると、ＳＷ制御部２２は、フロント液晶モニター部４０と同一面（フロント面）方向からの音声と判断し、マイクＢ３から音声を取り込むよう切替え制御する。更に、この切替え制御に基づき、動画制御部３０は、ＳＷ制御部２２から送られて来るマイクＢ３からの随時取り込まれた音声データの録音処理を行う（ステップＳ２０９，Ｓ２１０，Ｓ２１１）。
【００６７】
一方、録画撮影を開始してからＳＷ制御部２２がマイクの切替え制御でマイクの切替えを行った場合には、カウンタ部２３に切替えたことを通知し、カウンタ部２３に切替え回数をカウントさせる（ステップＳ２１２）。
【００６８】
ステップＳ２０５からステップＳ２１２までの動作を動画撮影制御部３０内に保持しているタイマーが、予め設定した時間Ｔ（ｓｅｃ）が経過するまで繰り返す。
【００６９】
やがて、動画撮影制御部３０内に保持しているタイマーが、予め設定した時間Ｔ（ｓｅｃ）が経過すると、カウンタ部２３にその情報を送出し（タイマー割り込みをかけ）、それによりカウンタ部２３はＳＷ制御部２２にカウント回数情報を送出する。ＳＷ制御部２２では、Ｔ（ｓｅｃ）内にＳＷ切替えが１回（受け取ったカウント回数情報が１以上）でもあれば、音声発生方向が可変する撮影状況下であると判断し、その後、動画撮影が終了するまで随時、両マイクから音声を取り込み、レベル比較結果を元にマイク切替えを行う（ステップＳ２１４，Ｓ２１５，Ｓ２２０）。なお、ステップＳ２１５の処理は、ステップＳ２０５〜Ｓ２１１間での処理（図６を参照）と同じなので説明を省略する。
【００７０】
一方、ステップＳ２１４において、逆に、Ｔ（ｓｅｃ）内に１回もＳＷ切替えがカウントされなかった（受け取ったカウント回数情報が０）場合には、ＳＷ制御部２２は、音声発生方向が不変である撮影状況下であると判断し、その後、動画撮影が終了するまで、現在使用のマイクを使用するようＳＷ制御を保持し、もう一方のマイクからの音声の取り込みを停止すると共に、音声の取り込みを停止したマイクのマイクアンプの電源供給停止の要求を電源制御部９０に依頼する。ＳＷ制御部２２から音声データを受信する動画撮影制御部３０は、動画撮影が終了するまで、停止していないマイクからの音声データの音声録音処理を行う（ステップＳ２１６〜Ｓ２１９）。
【００７１】
一方、電源制御部９０は、電源停止の要求を受けると、マイクアンプＡ２（マイクＡ停止要求の場合）またはマイクアンプＢ４（マイクＢ停止要求の場合）の電源の供給を停止する。
【００７２】
通常、携帯電話機を使用した時の動画撮影は、撮影者（携帯電話機保持者）もしくは第三者が撮影対象であることが大半と考えられるため、音声発生方向がフロント面またはリア面のどちらか一方になる場合が多い。この場合、残りの撮影終了までの時間、動画撮影制御部に接続されていないマイクからの音声取り込みを停止することによるリスクは少なく、マイクの音声取り込みを停止して電源の供給を停止することで、マイク起動中の消費電流低減が可能となる。
【００７３】
次に、本発明の第３の実施の形態について、図面を参照して説明する。
【００７４】
図７を参照すると、本発明の第３の実施の形態である複数マイク付き携帯電話機の構成図を示す。第３の実施の形態では、マイク切替え制御部２０の構成が、図１に示す第１の実施の形態のマイク切替え制御部２０の構成と相違し、マイクＡ２およびマイクＢ３の電源供給を制御する電源制御部９０を追加した点で相違する。すなわち、第３の実施の形態のマイク切替え制御部２０には、第１の実施例で述べた、デジタルカメラ５０と同一面（リア面）に実装されたマイクＡ１とＬＣＤ液晶モニター部４０と同一面（フロント面）に実装されたマイクＢ３から取り込まれた音声レベルを比較するレベル比較部２１とレベル比較部２１の大小情報の結果によってマイクの切替えを行うＳＷ制御部２２とを有する他に、マイク切替えを自動（オート）または手動（マニュアル）の選択が可能な第１のキーとフロント面のマイクまたはリア面のマイクの選択が可能な第２のキーとからなるＳＷ制御選択キー２４を有している。従って、ＳＷ制御選択キー２４の第１のキーが「自動」に設定されていると、ＳＷ制御部２２は、第１の実施の形態で説明した動作と同じ動作を行う。ＳＷ制御選択キー２４の第１のキーが「手動」に設定されていると、第２のキーが有効となる。第１のキーが「手動」に設定され第２のキーが「フロント」（マイクＢ３の指定）に設定されていると、ＳＷ制御部２２は、マイクＢ３からの音声データを取り込み、マイクＡ１からの音声データの取り込みを停止すると共に、マイクＡ１を集音する回路（例ではマイクアンプＡ２）への電源供給の停止を電源制御部９０に要求する。第１のキーが「手動」に設定され第２のキーが「リア」（マイクＡ１の指定）に設定されていると、ＳＷ制御部２２は、マイクＡ１からの音声データを取り込み、マイクＢ３からの音声データの取り込みを停止すると共に、マイクＢ３を集音する回路（例ではマイクアンプＢ４）への電源供給の停止を電源制御部９０に要求する。
【００７５】
図５の電源制御部９０は、ＳＷ制御部２２からの電源停止要求が来ると、マイクアンプＡ２またはマイクアンプＢ４のいずれかの電源の供給を停止する。なお、その他の構成については、第１の実施の形態と同じであるため、説明を省略する。
【００７６】
なお、その他の構成については、第１の実施の形態と同じであるため、説明を省略する。
【００７７】
次に、図２、図７、および図８を参照して、本発明の第３の実施の形態について、図８のフローチャートを中心に説明する。
【００７８】
ＳＷ制御選択キー２４を自動モード側に設定した場合のＳＷ制御選択キー２４の自動モードは、第１の実施の形態例で述べたＳＷ制御部２２と同様、動画撮影時に、随時、マイクＡ１およびマイクＢ３から取り込んだ音声レベルを大小比較して、常に音声取り込みレベルの大きい方のマイクに切替えるモードである（ステップＳ３０１〜Ｓ３１１）。なお、ステップＳ３０２〜Ｓ３１１の動作は、第１の実施の形態で示す図２のステップＳ１０１〜Ｓ１１０の動作と同じであるため、説明を省略する。
【００７９】
ＳＷ制御選択キー２４の第１のキーを「手動」（手動モード側）に設定した場合の手動モードは、動画撮影時に、撮影者（携帯電話機保持者）が、撮影状況に応じて音声を取り込むマイクを固定選択し、もう一方のマイクを停止させるモードである。第２のキーが「リア」（マイクＡ２）にキーが設定されていると、ＳＷ制御部２２は、マイクＡ１からマイクアンプＡ２、音声制御部Ａ１１を介してデジタル変換後の音声データを取り込み、音声データを動画撮影制御部３０に送ると共に、マイクＢ３からの音声データの取り込みを停止する。更に、ＳＷ制御部２２は、電源制御部９０に対してマイクアンプＢ４への電源供給を停止させる。第２のキーが「フロント」（マイクＢ３）にキーが設定されていると、ＳＷ制御部２２は、マイクＢ３からマイクアンプＢ４、音声制御部Ｂ１２を介してデジタル変換後の音声データを取り込み、音声データを動画撮影制御部３０に送ると共に、マイクＡ１からの音声データの取り込みを停止する。更に、ＳＷ制御部２２は、電源制御部９０に対してマイクアンプＡ２への電源供給を停止させる。その後、動画撮影制御部３０は、固定選択されたマイクから取り込んだ随時音声データを録音するよう音声録音処理を行う（ステップＳ３１３〜Ｓ３１６）。
【００８０】
また、ＳＷ制御選択キー２４は、動画撮影中の切替えを可能とし、自動モードで動画撮影を開始した後、撮影者（携帯電話機保持者）がＳＷ制御選択キー２４のキー操作によって、手動モードに切替えを行えば、指定したマイクに固定して音声取り込みを行う制御となる（ステップＳ３１２）。
【００８１】
逆に、手動モードの状態でも、携帯電話機のＳＷ制御選択キー２４のキー操作によって、自動モードへの切替えを可能とする。自動モードに設定された場合には、ステップＳ３０２にジャンプし、自動モードの制御を行う（ステップＳ３１７）。
【００８２】
このようにして、ＳＷ制御選択キー２４は、動画撮影が開始してから終了するまで、撮影者（携帯電話機保持者）のキー操作により何度でも、自動／手動の切替えを行う（ステップＳ３１８，Ｓ３１９）。
【００８３】
なお、上記説明において、手動モード時に、ＳＷ制御選択キー２４の第２のキーによって、マイクの切替えを行った場合、マイク切替え制御部２０は、集音の切り替えを行うと共に、電源制御部９０を介して、今まで停止していたマイクアンプの電源供給を行い、今まで集音していたマイクアンプの電源供給の停止を行う。
【００８４】
以上第３の実施の形態で説明したように、撮影状況に応じて、音声取り込み方向が限定できる場合は、撮影者のキー操作により、手動モードでマイクを選定することができ、人ごみの中でもメインの人の音声が中途半端になることなく集音することができる。
【００８５】
また、撮影状況に応じて、音声取り込み方向が限定できる場合は、撮影者のキー操作により、手動モードに設定することで使用マイクを指定でき、もう一方のマイク起動中の消費電流低減が可能となる。
【００８６】
また、音声取り込み方向が限定できない場合でも、撮影者のキー操作で自動モードに設定することで、第１の実施の形態例と同様、常に音声レベルの大きい方のマイクから音声の取り込むことが可能となり、マイク面と逆方向からの音声に対する音声レベルの劣化を軽減させることができる。
【００８７】
なお、上記の第３の実施の形態に、第２の実施の形態の構成を追加しても良い。すなわち、この場合の携帯電話機は、図８のステップＳ３１２でＳＷ制御選択キー２４が自動モードのままの場合、図６のステップＳ２０５から開始されることになる。この場合の詳細な動作については、第２および第３の動作説明と同じであるため省略する。
【００８８】
次に、本発明の第４の実施の形態について、図面を参照して説明する。
【００８９】
上記の第１、第２、および第３の実施の形態では、動画撮影機能での使用例を説明したが、ハンズフリー通話機能を有した携帯電話機においても、前述で説明した動画撮影機能と同様に、携帯電話機から離れた場所での音声取り込みを行うため、同様な効果が得られる。なお、この場合のハンズフリーとは、ヘッドセットを使用しないで携帯電話機の内蔵のマイクを使って通話ができる機能のことを意味する。
【００９０】
図９を参照すると、本発明の複数マイク付き携帯電話機の構成図を示す。第４の実施の形態は、第１の実施の形態と比較すると、第１の実施の形態で特徴点だけを抽出した図１で示す動作撮影制御部３０とフロント液晶モニター部４０とを、ハンズフリー制御部６０と無線部７０とアンテナ７１とスピーカ８０とに置き換えた点で相違する。その他の構成は、第１の実施の形態で説明した図１と同じなので説明を省略する。
【００９１】
次に、図９と図１０を参照して、本発明の第４の実施の形態の動作について説明する。なお、図１０は、第４の実施の形態における複数マイク付き携帯電話機のハンズフリー通話時の動作を示すフローチャートである。
【００９２】
ハンズフリー通話が開始されると、マイクＡ１およびマイクＢ３から音声取り込み制御が行われるが、ハンズフリー通話開始時の音声取り込みは、初期設定としてまず、リア面に実装されたマイクＡ１の音声がマイクアンプＡ２、音声制御部Ａ１１を介してデジタル変換され、更にＳＷ制御部２２を介して音声データがハンズフリー制御部６０に送出される。すると、ハンズフリー制御部６０は、受信した音声データを無線部７０およびアンテナ７１を介して通話先に送信される。次に、ハンズフリー制御部６０の制御により、マイクＢ３の出力レベルを増幅するためのマイクアンプＢ４のゲイン設定を、ハンズフリー通話に使用中のマイクアンプＡ２のゲイン設定と同一になるようゲイン増幅の設定変更を行う（図１０のステップＳ４０１〜Ｓ４０３）。
【００９３】
マイクＡ１で取り込んだ音声信号は、マイクアンプＡ２を介して音声制御部Ａ１１で、マイクＢ３で取り込んだ音声信号はマイクアンプＢ４を介して音声制御部Ｂ１２で、それぞれデジタル変換され、レベル比較部２１で、双方の出力値の大小の比較を行う（ステップＳ４０４，Ｓ４０５）。
【００９４】
ステップＳ４０５において、マイクＡ１の方の出力が大きい場合には、レベル比較部２１は、その比較した情報（マイクＡ１の方の出力が大きいという情報）をＳＷ制御部２２に送ると、ＳＷ制御部２２は、リア面方向からの音声と判断し、マイクＡ１から音声データを取り込むよう切替え制御する。更に、この切替え制御に基づき、ハンズフリー制御部６０は、ＳＷ制御部２２から送られて来るマイクＡ１からの随時取り込まれた音声データを無線部７０およびアンテナ７１を介して音声情報として通話先に送信される（ステップＳ４０６，Ｓ４０７，Ｓ４１０，Ｓ４１１）。
【００９５】
一方、ステップＳ４０５において、マイクＢ３の方の出力が大きい場合には、レベル比較部２１は、その比較した情報（マイクＢ３の方の出力が大きいという情報）をＳＷ制御部２２に送ると、ＳＷ制御部２２は、フロント液晶モニター部４０と同一面（フロント面）方向からの音声と判断し、マイクＢ３から音声データを取り込むよう切替え制御する。更に、この切替え制御に基づき、ハンズフリー制御部６０は、ＳＷ制御部２２から送られて来るマイクＢ３からの随時取り込まれた音声データを無線部７０およびアンテナ７１を介して音声情報として通話先に送信される（ステップＳ４０８，Ｓ４０９，Ｓ４１０，Ｓ４１１）。
【００９６】
上記のステップＳ４０４〜Ｓ４１１の処理は、通話が終了するまで繰返され、やがて通話が終了すると、終了する（ステップＳ４１２）。
【００９７】
すなわち、マイク切替え制御部２０では、第１の実施の形態例の動作と同様に、フロント面とリア面に実装されたマイクから、音声を取り込み、両マイク出力をレベル比較部２１で比較した結果を元に、レベルの高い方のマイクに切替えることになる。すなわち、常に音声レベルの大きい方のマイクから音声の取り込み制御を行っているため、マイク面と逆方向から音声に対する音声レベルの劣化を軽減させることができる。
【００９８】
第１の実施の形態を第２および第３の実施形態に機能を拡張したのと同じように、第４の実施の形態を、第２および第３で実施した構成のうち、動作撮影制御部３０とフロント液晶モニター部４０とをハンズフリー制御部６０と無線部７０とアンテナ７１とスピーカ８０とに置き換えることで、その構成とハンズフリー通話開始時の動作を説明することができる。
【００９９】
すなわち、カウンタ部２３および電源制御部９０の動作を取り込んだ図６のフローチャートをハンズフリー通話時の動作とする場合に、撮影動作時の動作（第２の実施の形態）と違う点だけを抽出して説明すると、ステップＳ２１１およびＳ２１８は、ハンズフリー制御部６０がＳＷ制御部２２から送られてくるマイクＡ１またはマイクＢ３から取り込まれた音声データを無線部７０およびアンテナを介して音声情報として通話先に送信される動作となる。ステップＳ２１９およびＳ２２０は、動画撮影終了が、ハンズフリー通話が終了となる。それ以外の説明については、動画撮影をハンズフリー通話に置き換えるだけで全く同じ動作になるので説明を省略する。
【０１００】
また、ＳＷ制御選択キー２４および電源制御部９０の動作を取り込んだ図８のフローチャートのハンズフリー通話時の動作とする場合に、撮影動作時の動作（第３の実施の形態）と違う点だけを抽出して説明すると、ステップＳ３１１およびＳ３１６は、ハンズフリー制御部６０がＳＷ制御部２２から送られてくるマイクＡ１またはマイクＢ３から取り込まれた音声データを無線部７０およびアンテナを介して音声情報として通話先に送信される動作となる。ステップＳ３１８およびＳ３１９は、動画撮影終了が、ハンズフリー通話が終了となる。それ以外の説明については、動画撮影をハンズフリー通話に置き換えるだけで全く同じ動作になるので説明を省略する。
【０１０１】
従って、一定の時間様子を見ながらマイクの選定を行ってから、選定されなかった方のマイクから集音する回路の電源供給を停止するため、マイク起動中の消費電流低減となる。また、撮影者のキー操作により、手動モードに設定することで使用マイクを指定でき、もう一方のマイクの集音する回路の電源供給を停止するため、起動中の消費電流低減となる。
【０１０２】
【発明の効果】
以上説明したように、本発明は、携帯電話機の筐体のフロント面側とリア側にマイクをそれぞれ実装し、動画撮影動作時またはハンズフリー通話時に音声レベルの高い方を選択して集音するようにしているため、効果的に、撮影者（または通話対象者）、および撮影者（または通話本人）の音声を集音することができるという効果がある。更に、音声レベルの高い方をマイクの選定と判断しているため、周囲騒音レベルに影響されることは少なくなるという効果がある。
【０１０３】
また、本発明は、一定の時間の間、マイクの切替えが１度でも発生しない場合にマイクからの集音する回路の電源供給を停止するようにしているため、消費電流を削減することができるという効果がある。
【０１０４】
また、本発明は、選択キーで自動または手動モードの切替えを持っているため、手動モードでマイクを選定することができ、人ごみの中でもメインの人の音声が中途半端になることなく集音することができるという効果がある。更に、手動モードで、選定されなかった方のマイクからの集音する回路の電源供給を停止するようにしているため、消費電流を低減することができるという効果がある。
【図面の簡単な説明】
【図１】本発明の第１の実施の形態である複数マイク付き携帯電話機の構成を示す構成図である。
【図２】本発明の複数マイク付き携帯電話機の筐体の内部構造の概略を示す構造概略図である。
【図３】第１の実施の形態である複数マイク付き携帯電話機の動画撮影時の動作を示すフローチャートである。
【図４】音声取り込み方向によるマイク出力の特性例を示すマイク出力特性図である。
【図５】本発明の第２の実施の形態である複数マイク付き携帯電話機の構成を示す構成図である。
【図６】第２の実施の形態である複数マイク付き携帯電話機の動画撮影時の動作を示すフローチャートである。
【図７】本発明の第３の実施の形態である複数マイク付き携帯電話機の構成を示す構成図である。
【図８】第３の実施の形態である複数マイク付き携帯電話機の動画撮影時の動作を示すフローチャートである。
【図９】本発明の第４の実施の形態である複数マイク付き携帯電話機の構成を示す構成図である。
【図１０】第４の実施の形態である複数マイク付き携帯電話機のハンズフリー通話時の動作を示すフローチャートである。
【符号の説明】
１    マイクＡ（リア面）
２    マイクアンプＡ
３    マイクＢ（フロント面）
４    マイクアンプＢ
５    マイクアンプ制御部
１０    音声制御部
１１    音声制御部Ａ
１２    音声制御部Ｂ
２０    マイク切替え制御部
２１    レベル比較部
２２    ＳＷ制御部
２３    カウンタ部
２４    ＳＷ制御選択キー
３０    動画撮影制御部
４０    フロント液晶モニター部
５０    デジタルカメラ
７０    無線部
７１    アンテナ
８０    スピーカ
９０    電源制御部
【図１】
2004201015.tif 000003
【図２】
2004201015.tif 000004
【図３】
2004201015.tif 000005
【図４】
2004201015.tif 000006
【図５】
2004201015.tif 000007
【図６】
2004201015.tif 000008
【図７】
2004201015.tif 000009
【図８】
2004201015.tif 000010
【図９】
2004201015.tif 000011
【図１０】
2004201015.tif 000012